【事件の表示】
　特願２００２−１４０７０４「画像信号出力装置と画像信号分配器、および画像信号の制御方法」拒絶査定不服審判事件〔平成１５年１１月１９日出願公開、特開２００３−３３０４３８〕について、次のとおり審決する。
【結　論】
　本件審判の請求は、成り立たない。
【理　由】
１　手続の経緯
　本願は、平成１４年５月１５日にされた特許出願であって、平成１９年３月２日付け（同年３月６日発送）で拒絶査定がされたところ、これに対して、平成１９年４月５日に拒絶査定不服審判が請求されるとともに、同年５月７日付けで明細書を補正対象とする手続補正書が提出されたものである。
　
２　平成１９年５月７日付け手続補正についての補正却下の決定
　
［補正却下の決定の結論］
　平成１９年５月７日付けの手続補正を却下する。
　
［理由］
（１）補正の内容
　平成１９年５月７日提出の手続補正（以下、「本件補正」という。）は、補正前の特許請求の範囲の請求項１の記載
「【請求項１】　複数の画像フレームよりなる画像信号、該画像信号に対応する同期信号、および前記画像信号の任意の画像フレームに前記画像信号の一部を置き換えて付加された送出インデックス信号を含む複合化信号を受信し、前記画像信号および前記同期信号を出力する画像信号受信手段と、
　前記画像信号受信手段から出力される画像信号および同期信号に基づいて、画像フレームにおける画像表示期間または画像非表示期間のいずれかに含まれる送出インデックス信号を判別するインデックス判別手段と、
　前記インデックス判別手段が判別したインデックス信号を次のインデックス信号が前記インデックス判別手段から出力されるまで保持するインデックス保持手段と、
　自装置に対して設定された画像出力装置番号を出力するための画像出力装置番号設定手段と、
　前記インデックス判別手段により出力されるインデックス信号および前記画像出力装置番号設定手段より出力される自装置の画像出力装置番号に基づいて、画像信号に含まれる前記画像フレームを選択するためのフレーム選択信号を出力するフレーム選択手段と、
　前記フレーム選択手段から出力されるフレーム選択信号に応じて画像フレームに対応する画像信号を記億する画像記億手段と、
　画像フレームに対応する画像信号を出力する画像信号出力手段とを備え、
　前記フレーム選択手段は、前記インデックス判別手段がインデックス信号を判別できない場合に前記インデックス保持手段が保持するインデックス信号を取得することを特徴とする画像信号出力装置。」
　を、
「【請求項１】　複数の画像フレームよりなる画像信号、該画像信号に対応する同期信号、および前記画像信号の任意の画像フレームに前記画像信号の一部を置き換えて付加された送出インデックス信号を含む複合化信号を画像信号発生装置から受信し、前記画像信号および前記同期信号を出力する画像信号受信手段と、
　前記画像信号受信手段から出力される画像信号および同期信号に基づいて、画像フレームにおける画像表示期間または画像非表示期間のいずれかに含まれる送出インデックス信号を判別するインデックス判別手段と、
　前記インデックス判別手段が判別したインデックス信号を次のインデックス信号が前記インデックス判別手段から出力されるまで保持するインデックス保持手段と、
　自装置に対して設定された画像出力装置番号を出力するための画像出力装置番号設定手段と、
　前記画像出力装置番号設定手段に接続され前記画像信号発生装置から画像出力装置番号を受信してその画像出力装置番号を前記画像出力装置番号設定手段に設定する通信手段と、
　前記インデックス判別手段により出力されるインデックス信号および前記画像出力装置番号設定手段より出力される自装置の画像出力装置番号に基づいて、画像信号に含まれる前記画像フレームを選択するためのフレーム選択信号を出力するフレーム選択手段と、
　前記フレーム選択手段から出力されるフレーム選択信号に応じて画像フレームに対応する画像信号を記億する画像記億手段と、
　画像フレームに対応する画像信号を出力する画像信号出力手段とを備え、
　前記フレーム選択手段は、前記インデックス判別手段がインデックス信号を判別できない場合に前記インデックス保持手段が保持するインデックス信号を取得することを特徴とする画像信号出力装置。」
　と補正する内容を含むものである。
　
（２）補正の目的の適合性
　本件補正により、記載された画像信号出力装置が、「前記画像出力装置番号設定手段に接続され前記画像信号発生装置から画像出力装置番号を受信してその画像出力装置番号を前記画像出力装置番号設定手段に設定する通信手段」を備えるものに限定され、さらに、補正前の「複合化信号を受信し」を「複合化信号を画像信号発生装置から受信し」と限定するのであるから、本件補正は、特許請求の範囲の減縮を目的とするものに該当する。
　
（３）独立特許要件
　本件補正後の請求項１ないし６に係る発明は、平成１９年５月７日付けの手続補正により補正された明細書及び図面の記載からみて、その特許請求の範囲の請求項１ないし６に記載された事項により特定されるとおりのものと認められるところ、その請求項１に係る発明は、以下のとおりである。
「【請求項１】　複数の画像フレームよりなる画像信号、該画像信号に対応する同期信号、および前記画像信号の任意の画像フレームに前記画像信号の一部を置き換えて付加された送出インデックス信号を含む複合化信号を画像信号発生装置から受信し、前記画像信号および前記同期信号を出力する画像信号受信手段と、
　前記画像信号受信手段から出力される画像信号および同期信号に基づいて、画像フレームにおける画像表示期間または画像非表示期間のいずれかに含まれる送出インデックス信号を判別するインデックス判別手段と、
　前記インデックス判別手段が判別したインデックス信号を次のインデックス信号が前記インデックス判別手段から出力されるまで保持するインデックス保持手段と、
　自装置に対して設定された画像出力装置番号を出力するための画像出力装置番号設定手段と、
　前記画像出力装置番号設定手段に接続され前記画像信号発生装置から画像出力装置番号を受信してその画像出力装置番号を前記画像出力装置番号設定手段に設定する通信手段と、
　前記インデックス判別手段により出力されるインデックス信号および前記画像出力装置番号設定手段より出力される自装置の画像出力装置番号に基づいて、画像信号に含まれる前記画像フレームを選択するためのフレーム選択信号を出力するフレーム選択手段と、
　前記フレーム選択手段から出力されるフレーム選択信号に応じて画像フレームに対応する画像信号を記億する画像記億手段と、
　画像フレームに対応する画像信号を出力する画像信号出力手段とを備え、
　前記フレーム選択手段は、前記インデックス判別手段がインデックス信号を判別できない場合に前記インデックス保持手段が保持するインデックス信号を取得することを特徴とする画像信号出力装置。」（以下、「本件補正発明」という。）
　
　そこで、本件補正発明が、特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について、以下検討する。
　
（４）引用例に記載された発明
　原査定の拒絶の理由で引用され、本願の出願前に頒布された刊行物である特開２０００−３５２９６２号公報（以下、「引用例１」という。）には、図面とともに、次の事項が記載されている。
　
（ア）「【請求項１１】  複数の画像フレームよりなる画像信号、該画像信号に対応する同期信号、および上記画像信号の任意の画像フレームに上記画像信号の一部を置き換えて付加された送出インデックス信号を含む複合化信号を受信して上記各信号を出力する画像信号受信部と、
該画像信号受信部から出力される送出インデックス信号に基づいて上記複数の画像フレームから自装置に表示するべき画像フレームを選択し、当該画像フレームに対応する画像信号を出力する画像フレーム選択部と、
該画像フレーム選択部から出力される上記画像フレームに対応する画像信号を表示する画像表示部とを備える画像表示装置。
【請求項１２】  画像フレーム選択部は、
画像信号受信手段から出力される画像信号および同期信号に基づいて画像フレームにおける画像表示期間または画像非表示期間のいずれかに含まれる送出インデックス信号を判別するインデックス判別手段、
自装置に対して設定された画像表示装置番号を出力するための画像表示装置番号設定手段、
上記インデックス判別手段より出力されるインデックス信号、および上記画像表示装置番号設定手段より出力される自装置の上記画像表示装置番号に基づいて、上記画像信号に含まれる上記画像フレームを選択するためのフレーム選択信号を出力するインデックス判定手段、
該インデックス判定手段が出力するフレーム選択信号に応じて上記画像信号に含まれる上記画像フレームを選択するためのフレーム選択手段、
該フレーム選択手段から出力される上記画像フレームに対応する画像信号を記憶するための画像記憶手段の各手段を含むことを特徴とする請求項１１に記載の画像表示装置。
【請求項１３】  インデックス信号を保持するインデックス保持手段をさらに備える請求項１２に記載の画像表示装置。
【請求項１４】  画像表示装置番号設定手段に接続された通信手段をさらに備える請求項１２に記載の画像表示装置。
【請求項１５】  画像信号受信部に入力される複合化信号または当該信号に対応する信号が入力され、自装置と他装置との順次接続が可能なように上記複合化信号を出力する画像信号出力部をさらに備えることを特徴とする請求項１１に記載の画像表示装置。」
　
（イ）「【００４５】（実施の形態の説明）以下、さらに図面を参照しながら、より詳細な形態について説明する。図２は、図１に示された画像信号発生装置１の内部構成を示す図である。図において、３は正味の画像信号を生成するための画像信号発生手段、４は送出インデックス信号を生成し正味の画像信号の一部を置き換えて付加（重畳）するためのインデックス付加手段、５はインデックス付加手段４からの出力を画像信号出力として出力するための増幅器等により構成される画像信号出力手段、６は画像信号出力端子である。
【００４６】また、図３は、図１に示された一つの画像表示装置２の内部構成を示す図である。図において、７は画像信号入力端子、８は画像信号受信手段、９はインデックス判別手段、１０は画像表示装置番号設定手段、１１はインデックス判定手段、１２はフレーム選択手段、１３は画像記憶手段、１４は画像表示手段である。
【００４７】Ｄｉは画像信号受信手段８が出力する画像信号、Ｄｓはフレーム選択手段１２が出力する画像信号、Ｄｒは画像記憶手段１３が出力する画像信号、Ｓｉは画像信号受信手段８が出力する同期信号、ＩＤはインデックス判別手段９が判別したインデックス、Ｎは画像表示装置番号設定手段１０で設定された画像表示装置番号、ＦＳはインデックス判定手段１１が出力するフレーム選択信号である。
【００４８】なお、以下の種々の実施の形態の説明において、特に断らない限り、画像信号受信手段８は画像信号受信部を、インデックス判別手段９、画像表示装置番号設定手段１０、インデックス判定手段１１、フレーム選択手段１２、画像記憶手段１３およびそれらに付随する手段のそれぞれにより画像フレーム選択部を、画像表示手段１４は画像表示部をそれぞれ構成するものとする。
【００４９】図４は画像信号受信手段８の構成を示す図である。図において１５はＡ／Ｄ変換手段、１６は同期信号処理手段、１７はクロック再生手段である。なお、図中の同一番号および同一記号は、同一の手段あるいは同一の信号を示す。
【００５０】次に動作について説明する。図２に示すように画像信号発生装置１における画像信号発生手段３は、所定のフォーマット（例えば解像度あるいはラインあたりの画素数、１フレームあたりのライン数、１秒あたりのフレーム数等）の正味の画像信号を発生し、インデックス付加手段４に画像信号を出力する。
【００５１】インデックス付加手段４では、入力された正味の画像信号の各フレームの画像期間内に、後述するように、入力された正味の画像信号に対応するような所定の送出インデックス信号を画像信号の一部を置き換えて付加する。
【００５２】送出インデックス信号が画像信号の一部を置き換えて付加された画像信号と、この画像信号に同期した垂直および水平の各同期信号とが複合化信号として画像信号出力手段５によって画像信号出力端子６から出力される。その後、この出力は接続ケーブルを通して、図３に示す画像表示装置２の画像信号入力端子７に入力される。」
　
（ウ）「【００７９】フレーム選択手段１２は、インデックス判定手段１１が出力したフレーム選択信号ＦＳに基づいて、入力された画像信号Ｄｉから所定のフレームを選択する。ここでは、送出インデックス信号が画像期間の一部を置き換えて付加されているので、実際に選択されるフレームは判定が行われた１フレーム後のフレームである。
【００８０】フレーム選択手段１２によって選択された画像信号Ｄｓは、図３に示す画像記憶手段１３に出力される。画像記憶手段１３は、フレーム選択手段１２が選択した画像信号Ｄｓを記憶する。画像記憶手段１３に記憶された画像信号は所定のタイミングで読み出され、画像信号Ｄｒとして画像表示手段１４に出力される。画像表示手段１４は画像記憶手段１３から読み出された画像信号Ｄｒを表示する。
【００８１】なお、フレーム選択手段１２でフレームが選択されない場合は、例えば最後に選択された画像信号Ｄｓが表示される（画像記憶手段１３に記憶されている内容が更新されないため）。
【００８２】以上のように構成することで、画像表示装置２は、受信した画像信号から任意のフレームを選択して表示することができる。従って、図１に示したように画像表示装置番号１〜ｎを有する任意の画像表示装置２に対して任意のページを表示させることができる。」
　
（エ）「【０１５３】実施の形態３．図２２は、この発明の実施の形態３における画像表示装置２の構成を示す図であり、図において、２０はインデックス保持手段、ＩＤｈはインデックス保持手段で保持されたインデックスである。画像信号発生装置１の構成は図２に示すものと同様である。
【０１５４】図２３は、この発明の実施の形態３における、送出インデックス信号ＩＤとページを切り替えるタイミングを説明する図である。図において横軸は時間を、縦軸は電圧をそれぞれ示す。図に示したようにインデックス付加手段４（図２参照）はページが切り替わる１フレーム前に送出インデックス信号を画像信号の一部と置き換えて付加する。
【０１５５】図２２に示した構成において、インデックス判別手段９は、前記インデックス付加手段４によって画像信号の上記所定のフレームに間欠的に画像信号の一部を置き換えて付加された送出インデックス信号を判別し、判別して選られたインデックスＩＤをインデックス保持手段１９に出力する。
【０１５６】インデックス保持手段２０は、入力されたインデックスＩＤを次のインデックスＩＤが入力されるまでそれを保持し、保持されたインデックスＩＤｈをインデックス判定手段１１に出力する。なお、その他の動作は実施の形態１と同様であるので、動作の説明は省略する。
【０１５７】以上のように構成することで、図１に示したように画像表示装置２に選択的にページを表示させることができる。
【０１５８】また、インデックス付加手段４が画像信号の一部を置き換えて付加する送出インデックス信号は、画像信号に間欠的に画像信号の一部を置き換えて付加されるので、使用者にインデックスを見えにくくすると共に、インデックスＩＤｈによって表示されない部分を実質的になくすることができる。
【０１５９】また、図６、図９、図１０および図１２に示したような、送出インデックス信号が各表示期間に連続的に画像信号の一部を置き換えて付加される場合、送出インデックス信号の上をマウスポインタ等が通過したために送出インデックス信号が壊されるとインデックス判別手段９が送出インデックス信号を判別できないことがある。
【０１６０】このようなときには、上述したようなインデックスＩＤｈを保持するようにすれば、マウスポインタ等により送出インデックス信号が壊されたとしても、インデックス保持手段１９が前のフレームのインデックスＩＤｈを保持していることになり、前のインデックスＩＤｈを用いて表示を行う。」
　
（オ）「【０１８１】実施の形態５．図２９は、この発明の実施の形態５における画像表示装置２１の構成を示す図である。図において、２５は通信手段、２６は画像表示装置番号設定手段、２７は通信手段２５の接続端子である。なお、７〜９、１１〜１４は図３に示すものと同様なので説明を省略する。
【０１８２】これまでに述べてきた構成による動作の説明では、画像表示装置２１の画像表示装置番号Ｎは画像表示装置番号設定手段２６によって任意の値を設定される。
【０１８３】これに対して、この実施の形態５においては、通信手段２５を用いることによって、順次接続された複数台の画像表示装置２１の間において、画像表示装番号に関わる情報の相互的なやり取りを行わせることによって各自の画像表示装置番号を自動的に設定するようにするものである。
【０１８４】より具体的には、複数台の画像表示装置２１の通信手段２５をケーブルなどによって電気的に接続し、それぞれの画像表示装置番号設定手段２６同士が通信を行って順次番号を設定する。
【０１８５】例えば、画像信号発生装置１に接続された画像表示装置２１の画像表示装置番号Ｎを１として、順次接続された画像表示装置２１の接続の順で画像表示装置番号を１ずつ増やすようにしても良い。その他の動作は実施の形態４と同様であるので、動作の説明は省略する。
【０１８６】このようにすることにより、利用者が逐一、画像表示装置番号の設定（特にディップスイッチ等を用いたハードウェア的な設定）を行わなくてすみ、利用者にとっての利便性が向上する。」
　
（カ）図面の図２２から、インデックス判別手段９とインデックス判定手段１１間に設けられたインデックス保持手段２０を、見て取ることができる。
　また、上記摘記事項（イ）から、インデックス判別手段９とインデックス判定手段１１が画像フレーム選択部を構成する一要素であることから、それらの間に設けられたインデックス保持手段２０が、画像フレーム選択部を構成する一要素であることは、技術的に明白である。
　
（キ）図面の図２９から、接続端子２７と画像表示装置番号設定手段２６間に設けられた通信手段２５を、見て取ることができる。
　また、上記摘記事項（イ）から、画像表示装置番号設定手段２６が画像フレーム選択部を構成する一要素であり、また、通信手段２５は、外部との通信を行うために設けられた接続端子２７と画像表示装置番号設定手段２６の間に設けられていることから、画像フレーム選択部を構成する一要素であることは、技術的に明白である。
　
　上記摘記事項（ア）から、複数の画像フレームよりなる画像信号、該画像信号に対応する同期信号、および上記画像信号の任意の画像フレームに上記画像信号の一部を置き換えて付加された送出インデックス信号を含む複合化信号を受信して上記各信号を出力する画像信号受信部と、該画像信号受信部から出力される送出インデックス信号に基づいて上記複数の画像フレームから自装置に表示するべき画像フレームを選択し、当該画像フレームに対応する画像信号を出力する画像フレーム選択部と、該画像フレーム選択部から出力される上記画像フレームに対応する画像信号を表示する画像表示部とを備える装置を、読み取ることができる。
　
　上記摘記事項（ア）及び（イ）から、画像フレーム選択部を構成し、画像信号受信手段から出力される画像信号および同期信号に基づいて画像フレームにおける画像表示期間または画像非表示期間のいずれかに含まれる送出インデックス信号を判別するインデックス判別手段を、読み取ることができる。
　
　上記摘記事項（ア）及び（イ）、（エ）、（カ）から、画像フレーム選択部を構成し、インデックス判別手段が判別し、判別して選られたインデックス信号を次のインデックス信号が入力されるまでそれを保持するインデックス保持手段を、読み取ることができる。
　
　上記摘記事項（ア）及び（イ）から、画像フレーム選択部を構成し、自装置に対して設定された画像表示装置番号を出力するための画像表示装置番号設定手段を、読み取ることができる。
　
　上記摘記事項（ア）及び（オ）、（キ）から、画像フレーム選択部を構成し、画像表示装置番号設定手段に接続され、順次接続された複数台の装置の間において、画像表示装番号に関わる情報の相互的なやり取りを行わせることによって各自の画像表示装置番号を画像表示装置番号設定手段に自動的に設定するための通信手段を、読み取ることができる。
　
　上記摘記事項（ア）及び（イ）から、画像フレーム選択部を構成し、インデックス判別手段より出力されるインデックス信号および画像表示装置番号設定手段より出力される自装置の画像表示装置番号に基づいて、画像信号に含まれる画像フレームを選択するためのフレーム選択信号を出力するインデックス判定手段を、読み取ることができる。
　
　上記摘記事項（ア）ないし（ウ）から、画像フレーム選択部を構成し、画像記憶手段に付随した手段として、画像記憶手段に記憶された画像信号を所定のタイミングで読み出し画像フレームに対応する画像信号として画像表示手段に出力する手段を、読み取ることができる。
　
　上記摘記事項（エ）から、インデックス判定手段は、インデックス判別手段が送出インデックス信号を判別できない場合に、インデックス保持手段が保持する前のフレームのインデックス信号を取得することを、読み取ることができる。
　
　したがって、上記摘記事項（ア）ないし（オ）の記載からみて、引用例１には、以下の発明が記載されているものと認められる。　
「複数の画像フレームよりなる画像信号、該画像信号に対応する同期信号、および上記画像信号の任意の画像フレームに上記画像信号の一部を置き換えて付加された送出インデックス信号を含む複合化信号を受信して上記各信号を出力する画像信号受信部と、
　画像信号受信手段から出力される画像信号および同期信号に基づいて画像フレームにおける画像表示期間または画像非表示期間のいずれかに含まれる送出インデックス信号を判別するインデックス判別手段と、
　インデックス判別手段が判別し、判別して選られたインデックス信号を次のインデックス信号が入力されるまでそれを保持するインデックス保持手段と、
　自装置に対して設定された画像表示装置番号を出力するための画像表示装置番号設定手段と、
　画像表示装置番号設定手段に接続され、順次接続された複数台の装置の間において、画像表示装番号に関わる情報の相互的なやり取りを行わせることによって各自の画像表示装置番号を画像表示装置番号設定手段に自動的に設定するための通信手段と、
　インデックス判別手段より出力されるインデックス信号および画像表示装置番号設定手段より出力される自装置の画像表示装置番号に基づいて、画像信号に含まれる画像フレームを選択するためのフレーム選択信号を出力するインデックス判定手段と、
　インデックス判定手段が出力するフレーム選択信号に応じて画像信号に含まれる画像フレームを選択するためのフレーム選択手段、該フレーム選択手段から出力される上記画像フレームに対応する画像信号を記憶するための画像記憶手段と、
　画像記憶手段に記憶された画像信号を所定のタイミングで読み出し画像信号として画像表示手段に出力する手段と、
　で構成された画像フレーム選択部と、
　上記インデックス判定手段は、インデックス判別手段が送出インデックス信号を判別できない場合に、インデックス保持手段が保持する前のフレームのインデックス信号を取得してなり、
　該画像フレーム選択部から出力される上記画像フレームに対応する画像信号を表示する画像表示部と、
　を備える装置。」（以下、「引用発明」という。）
　
（５）対比
　本件補正発明と引用発明とを対比する。
（ア）引用発明の「複数の画像フレームよりなる画像信号、該画像信号に対応する同期信号、および上記画像信号の任意の画像フレームに上記画像信号の一部を置き換えて付加された送出インデックス信号を含む複合化信号を受信して上記各信号を出力する画像信号受信部」は、本件補正発明の「複数の画像フレームよりなる画像信号、該画像信号に対応する同期信号、および前記画像信号の任意の画像フレームに前記画像信号の一部を置き換えて付加された送出インデックス信号を含む複合化信号を画像信号発生装置から受信し、前記画像信号および前記同期信号を出力する画像信号受信手段」に相当する。
（イ）引用発明の「画像信号受信手段から出力される画像信号および同期信号に基づいて画像フレームにおける画像表示期間または画像非表示期間のいずれかに含まれる送出インデックス信号を判別するインデックス判別手段」は、本件補正発明の「前記画像信号受信手段から出力される画像信号および同期信号に基づいて、画像フレームにおける画像表示期間または画像非表示期間のいずれかに含まれる送出インデックス信号を判別するインデックス判別手段」に相当する。
（ウ）引用発明の「インデックス判別手段が判別し、判別して選られたインデックス信号を次のインデックス信号が入力されるまでそれを保持するインデックス保持手段」は、本件補正発明の「前記インデックス判別手段が判別したインデックス信号を次のインデックス信号が前記インデックス判別手段から出力されるまで保持するインデックス保持手段」に相当する。
（エ）引用発明の「自装置に対して設定された画像表示装置番号を出力するための画像表示装置番号設定手段」は、本件補正発明の「自装置に対して設定された画像出力装置番号を出力するための画像出力装置番号設定手段」と、「自装置に対して設定された装置番号を出力するための装置番号設定手段」との限りにおいて一致する。
（オ）引用発明の「画像表示装置番号設定手段に接続され、順次接続された複数台の装置の間において、画像表示装番号に関わる情報の相互的なやり取りを行わせることによって各自の画像表示装置番号を画像表示装置番号設定手段に自動的に設定するための通信手段」は、本件補正発明の「前記画像出力装置番号設定手段に接続され前記画像信号発生装置から画像出力装置番号を受信してその画像出力装置番号を前記画像出力装置番号設定手段に設定する通信手段」と、「装置番号設定手段に接続され、装置番号を装置番号設定手段に設定する通信手段」との限りにおいて一致する。
（カ）引用発明の「インデックス判定手段」は、本件補正発明の「フレーム選択手段」とは、その機能において一致していることから、引用発明の「インデックス判別手段より出力されるインデックス信号および画像表示装置番号設定手段より出力される自装置の画像表示装置番号に基づいて、画像信号に含まれる画像フレームを選択するためのフレーム選択信号を出力するインデックス判定手段」は、本件補正発明の「前記インデックス判別手段により出力されるインデックス信号および前記画像出力装置番号設定手段より出力される自装置の画像出力装置番号に基づいて、画像信号に含まれる前記画像フレームを選択するためのフレーム選択信号を出力するフレーム選択手段」と、「前記インデックス判別手段により出力されるインデックス信号および装置番号設定手段より出力される自装置の装置番号に基づいて、画像信号に含まれる前記画像フレームを選択するためのフレーム選択信号を出力するフレーム選択手段」との限りにおいて一致する。
（キ）引用発明の「インデックス判定手段が出力するフレーム選択信号に応じて画像信号に含まれる画像フレームを選択するためのフレーム選択手段、該フレーム選択手段から出力される上記画像フレームに対応する画像信号を記憶するための画像記憶手段」は、本件補正発明の「前記フレーム選択手段から出力されるフレーム選択信号に応じて画像フレームに対応する画像信号を記億する画像記億手段」と、「画像フレームに対応する画像信号を記億する画像記億手段」との限りにおいて一致する。
（ク）引用発明の「画像記憶手段に記憶された画像信号を所定のタイミングで読み出し画像フレームに対応する画像信号として画像表示手段に出力する手段」は、本件補正発明の「画像フレームに対応する画像信号を出力する画像信号出力手段」に相当する。
（ケ）引用発明の「インデックス判定手段」は、本件補正発明の「フレーム選択手段」とは、その機能において一致していることから、引用発明の「インデックス判定手段は、インデックス判別手段が送出インデックス信号を判別できない場合に、インデックス保持手段が保持する前のフレームのインデックス信号を取得してなる」は、本件補正発明の「前記フレーム選択手段は、前記インデックス判別手段がインデックス信号を判別できない場合に前記インデックス保持手段が保持するインデックス信号を取得する」に相当する。
（コ）引用発明の「装置」は、本件補正発明の「画像信号出力装置」と、「装置」との限りにおいて一致する。
　
　したがって、本件補正発明と引用発明の両者は、 以下の一致点で一致し、以下の相違点で相違する。
　
＜一致点＞
「複数の画像フレームよりなる画像信号、該画像信号に対応する同期信号、および前記画像信号の任意の画像フレームに前記画像信号の一部を置き換えて付加された送出インデックス信号を含む複合化信号を画像信号発生装置から受信し、前記画像信号および前記同期信号を出力する画像信号受信手段と、
　前記画像信号受信手段から出力される画像信号および同期信号に基づいて、画像フレームにおける画像表示期間または画像非表示期間のいずれかに含まれる送出インデックス信号を判別するインデックス判別手段と、
　前記インデックス判別手段が判別したインデックス信号を次のインデックス信号が前記インデックス判別手段から出力されるまで保持するインデックス保持手段と、
　自装置に対して設定された装置番号を出力するための装置番号設定手段と、
　装置番号設定手段に接続され、装置番号を装置番号設定手段に設定する通信手段と、
　前記インデックス判別手段により出力されるインデックス信号および装置番号設定手段より出力される自装置の装置番号に基づいて、画像信号に含まれる前記画像フレームを選択するためのフレーム選択信号を出力するフレーム選択手段と、
　画像フレームに対応する画像信号を記億する画像記億手段と、
　画像フレームに対応する画像信号を出力する画像信号出力手段とを備え、
　前記フレーム選択手段は、前記インデックス判別手段がインデックス信号を判別できない場合に前記インデックス保持手段が保持するインデックス信号を取得する装置。」
　
＜相違点１＞
　装置番号設定手段が、本件補正発明においては、自装置に対して設定された画像出力装置番号を出力するための「画像出力装置番号設定手段」であるのに対して、引用発明では、自装置に対して設定された画像表示装置番号を出力するための「画像表示装置番号設定手段」である点。
　
＜相違点２＞
　通信手段が、本件補正発明においては、画像出力装置番号設定手段に接続され画像信号発生装置から画像出力装置番号を受信してその画像出力装置番号を画像出力装置番号設定手段に設定するのに対して、引用発明では、そのように限定されていない点。
　
＜相違点３＞
　フレーム選択手段が、本件発明においては、インデックス判別手段により出力されるインデックス信号および画像出力装置番号設定手段より出力される自装置の画像出力装置番号に基づいて、画像信号に含まれる画像フレームを選択するためのフレーム選択信号を出力するのに対して、引用発明では、そのように限定されていない点。
　
＜相違点４＞
　画像記憶手段が、本件補正発明においては、フレーム選択手段から出力されるフレーム選択信号に応じて画像フレームに対応する画像信号を記億するのに対して、引用発明では、そのように限定されていない点。
　
＜相違点５＞
　本件補正発明の対象は、「画像信号出力装置」であるのに対して、引用発明の対象は、そのように限定されていない点。
　
（６）判断
　上記相違点１ないし３、５について検討する。
　原査定の拒絶の理由で引用され、本願の出願前に頒布された刊行物である特開平５−２１０３７１号公報（以下、「周知例」という。）には、図面とともに、次の事項が記載されている。
（ア）「【０００７】図１４において、１および２はそれぞれ表示ユニット（本例では、便宜上マルチ画面表示装置を構成する表示ユニットが１と２の二つあるものとしている）、１０はシステムコントローラ、１１および１２は各ユニットに対応したディスプレイ、２０はビデオ信号再生装置、３０はデータバス、４０はアドレスバス、５０はトリガ信号線、１０１は第１のフレームメモリ、１０２は第２のフレームメモリ、１０３はスイッチ、１０４は画像合成装置、１０５は切換器、１０６はＲＯＭ、１０７はＲＡＭ、１０８はＣＰＵ、１０９はデータラッチ、１１０はＡＮＤ回路、１１１はＩＤ記憶装置、１１２は比較器である。
【０００８】表示ユニット１および表示ユニット２は、既に述べたように、マルチ画面表示装置を構成する表示ユニットで、複数の表示ユニットを組み合わせることにより大画面を構成するものであることは既に述べた通りである。各々の表示ユニットは、同一の構成をとっているので、表示ユニット１について詳細を説明する。」
　
（イ）「【００１４】ＩＤ記憶装置１１１は、表示ユニット１のＩＤ（識別）情報を指定・格納する。ＩＤ記憶装置１１１を実現する手段としては、例えば機械的なスイッチを複数個並べてスイッチのＯＮ／ＯＦＦの状態によりＩＤ情報を表現しても良いし、電気的に消去書込みの可能なＥＥＰＲＯＭもしくは電池によりバックアップされたＳＲＡＭにより実現しても良い。
【００１５】システムコントローラ１０は、制御する対象の表示ユニットのＩＤ情報をアドレスバス４０に出力する。比較器１１２は、システムコントローラ１０からアドレスバス４０により指定されたＩＤ情報と表示ユニット１のＩＤ記憶装置１１１に格納されたＩＤ情報を比較し、一致した場合はＣＰＵ１０８にその旨をセレクト信号として送ることにより、自分の表示ユニット１がシステムコントローラ１０により選択されたことを通知する。
【００１６】マルチ画面表示装置の動作について説明する。まず、システムコントローラ１０は、アドレスバス４０に各表示ユニットのＩＤ情報をのせて表示ユニットに固定長の命令（以下、コマンドと記す）を送る。コマンドの与え方としては、例えば、コマンドを固定長の長さのデータ列で表現し、先頭のワードでコマンドの種類を表し、その後にパラメータを送ることにより実現できる。
【００１７】比較器１１２は、アドレスバス４０で送られたＩＤ情報とＩＤ記憶装置１１１の内容を比較して、一致した場合は、そのことをＣＰＵ１０８に通知し、ＣＰＵ１０８は、それにより、データバス３０で送られたコマンドをＲＡＭ１０７に取り込んで格納し、送られてきた前記コマンドに対する処理を実行する。システムコントローラ１０から送られるコマンドとしては、データバス３０からフレームメモリ１０１又は１０２へのデータ転送、書込みフレームメモリの指定、表示フレームメモリの指定、画像合成装置１０４の制御、データバス３０からＲＡＭ１０７への表示画面制御情報の書込み等がある。
【００１８】システムコントローラ１０は、書込みフレームメモリの切換えコマンドを表示ユニット１のＣＰＵ１０８に発行することにより、スイッチ１０３を第１のフレームメモリ１０１に切換えることにより、第１のフレームメモリ１０１を書込み用のフレームメモリに指定する。
【００１９】次に、システムコントローラ１０は、ＣＰＵ１０８にデータバス３０からフレームメモリ１０１へのデータ転送コマンドを発行した後に、画像データをデータバス３０から表示ユニット１に送ることにより、第１のフレームメモリ１０１に画像データを転送する。その後、同様にして、第２のフレームメモリ１０２にも画像データを転送する。第１と第２のフレームメモリに、異なる画像の画像データを転送することにより、一つの表示ユニットでも、２面分の画像を持つことができる。」
　
（ウ）「【００４８】前記各表示ユニットに、ＩＤ記憶装置と、標準コントローラを設け、標準コントローラとシステムコントローラとの間を、或るプロトコルに従うインタフェース・バスを介して接続しておき、各表示ユニットのＩＤ記憶装置に、当該表示ユニットがマルチ画面を構成する構成単位として持つ固有の識別情報（ＩＤ情報）を、システムコントローラが割り当てて設定するＩＤ情報設定手段を備えた。
【００４９】そして各表示ユニットのＩＤ記憶装置に設定されたＩＤ情報から、システムコントローラが、当該表示ユニットは、マルチ画面を構成する構成単位として、マルチ画面上のどの位置の構成単位に当たるものかを認識可能にした。」
　
（エ）図面の【図１】，【図１４】から、表示ユニットとディスプレイとを独立した構成として設けることが、見て取れる。
　
　相違点１関して検討する。
　上記周知例の記載事項によれば、複数のディスプレイを使用して表示を行うシステムにおいて、表示ユニット（引用発明の「画像フレーム選択部と画像信号受信部とからなる構成」に相当する。）とディスプレイ（引用発明の「画像表示部」に相当する。）とを独立とした構成とする技術は、周知の技術にすぎない。また、表示ユニットとディスプレイとが独立した構成であることから、当然のこととして、ＩＤ記憶装置（引用発明の「画像表示装置番号設定手段」に相当する。）は、ディスプレイのＩＤではなく、段落【００１４】に記載されているように表示ユニットのＩＤを記憶している。
　よって、複数のディスプレイを使用して表示を行うシステムにおいて、表示ユニットとディスプレイとを独立した構成とし、その際に、ＩＤ記憶装置に表示ユニットのＩＤを格納する技術は周知技術にすぎない。
　一般に、各構成要素を一体化してコストの低減を図るか、各構成要素を独立した構成として汎用性の向上を図るかなどは、実施時において当業者が適宜選択し得る単なる設計的事項にすぎない。
　してみると、周知例と同様に、複数のディスプレイを使用して表示を行うシステムに関する発明である引用発明において、各構成要素を独立した構成とし汎用性の向上を図ることなどを目的として、単に上記周知技術を採用し、上記周知技術のディスプレイに相当する「画像表示部」と、上記周知技術の表示ユニットに相当する「画像フレーム選択部と画像信号受信部とからなる構成」とを独立としたものとすることに特段の困難性はなく、「画像表示部」と、「画像フレーム選択部と画像信号受信部とからなる構成」を独立したものとした際には、装置番号設定手段に、「画像フレーム選択部と画像信号受信部とからなる構成」に対応した装置番号が設定されることは、技術的に明白な事項である。
　
　次に、相違点２に関して検討するに、上記周知例に示されているように、表示ユニットが持つ固有の識別情報（ＩＤ情報）を、インタフェース・バスを介してシステムコントローラ（引用発明の「画像信号発生装置」に相当する。）が各表示ユニットのＩＤ記憶装置（引用発明の「画像表示装置番号設定手段」に相当する。）に割り当てて設定するＩＤ情報設定手段（引用発明の「通信手段」に相当する。）に関する技術は、周知技術にすぎない。
　してみると、周知例と同様に複数のディスプレイを使用して表示を行うシステムに関する発明である引用発明において、単に上記周知技術を採用し、画像信号発生装置から装置番号を受信して、その装置番号を装置番号設定手段に設定する構成とすることに特段の困難性はない。
　
　さらに、相違点３に関して検討するに、上記相違点１で既に検討したように、インデックス判定手段が、自装置の出力装置番号に基づいて、画像信号に含まれる画像フレームを選択する構成となることは、再度検討するまでもなく技術的に明白な事項である。
　
　続いて、相違点５に関して検討するに、上記相違点１で既に検討したように、一般に、各構成要素を一体化してコストの低減を図るか、各構成要素を独立した構成として汎用性の向上を図るかなどは、実施時において当業者が適宜決めうる単なる設計的事項にすぎないことから、「画像フレーム選択部と画像信号受信部とからなる構成」を独立した装置として構成することに特段の困難性はない。
　
　よって、上記相違点１ないし３、５に係る本件補正発明の発明特定事項は、引用発明に上記周知技術を適用することにより当業者が容易に想到し得たものである。
　
　上記相違点４について検討する。
　本件補正発明においては、画像フレームに対応する画像信号を記憶するための構成として画像記憶手段のみが示されているのに対して、引用発明においては、画像記憶手段とフレーム選択手段とからなる構成を用いて、画像フレームに対応する画像信号を記憶する構成となっている点で相違している。
　しかしながら、選択的に画像信号を記憶するための構成において、画像記憶手段に画像信号を入力する前に、記憶させるべき画像信号の選択が行われていることは、技術的に明白である。
　してみると、引用発明に記載された画像記憶手段とフレーム選択手段とからなる構成が、本件補正発明の画像記憶手段と、その作用、機能において特段の相違もないことから、実質的に同じものであることは技術的に明らかである。
　よって、上記相違点は、実質的な相違点ではない。
　
　そして、本件補正発明の奏する効果も、引用例１の記載及び周知例に記載された事項から当業者が予測可能な範囲内のものである。
　したがって、本件補正発明は、引用発明及び周知技術に基づいて当業者が容易に発明をすることができたものである。
　
（７）独立特許要件についてのむすび
　したがって、本件補正発明は、引用発明及び周知技術に基づいて当業者が容易に発明をすることができたものであるから、特許法第２９条第２項の規定により、特許出願の際独立して特許を受けることができないものである。
　
（８）むすび
　以上のとおりであるから、本件補正は、平成１８年法律第５５号改正附則第３条第１項によりなお従前の例によるとされる同法による改正前の特許法第１７条の２第５項において準用する同法第１２６条第５項の規定に違反するものであり、特許法第１５９条第１項において読み替えて準用する同法第５３条第１項の規定により却下すべきものである。
 　
３　本願発明
　平成１９年５月７日付けの手続補正は上記のとおり却下されたので、本願の請求項１ないし７に係る発明は、平成１８年１０月２日付け手続補正書の特許請求の範囲の請求項１ないし７に記載された事項により特定されるとおりのものと認められるところ、その請求項１に記載された発明（以下「本願発明」という。）は、次のとおりである。
「【請求項１】　複数の画像フレームよりなる画像信号、該画像信号に対応する同期信号、および前記画像信号の任意の画像フレームに前記画像信号の一部を置き換えて付加された送出インデックス信号を含む複合化信号を受信し、前記画像信号および前記同期信号を出力する画像信号受信手段と、
　前記画像信号受信手段から出力される画像信号および同期信号に基づいて、画像フレームにおける画像表示期間または画像非表示期間のいずれかに含まれる送出インデックス信号を判別するインデックス判別手段と、
　前記インデックス判別手段が判別したインデックス信号を次のインデックス信号が前記インデックス判別手段から出力されるまで保持するインデックス保持手段と、
　自装置に対して設定された画像出力装置番号を出力するための画像出力装置番号設定手段と、
　前記インデックス判別手段により出力されるインデックス信号および前記画像出力装置番号設定手段より出力される自装置の画像出力装置番号に基づいて、画像信号に含まれる前記画像フレームを選択するためのフレーム選択信号を出力するフレーム選択手段と、
　前記フレーム選択手段から出力されるフレーム選択信号に応じて画像フレームに対応する画像信号を記億する画像記億手段と、
　画像フレームに対応する画像信号を出力する画像信号出力手段とを備え、
　前記フレーム選択手段は、前記インデックス判別手段がインデックス信号を判別できない場合に前記インデックス保持手段が保持するインデックス信号を取得することを特徴とする画像信号出力装置。」
　
４　引用例に記載された発明
　原査定の拒絶の理由で引用され、本願の出願前に頒布された引用例１及びその引用発明は、「２（４）引用例に記載された発明」の項に記載したとおりである。
　
５　対比・判断
　本願発明は、上記「２（２）補正の目的の適合性」で検討した本件補正発明から、「前記画像出力装置番号設定手段に接続され前記画像信号発生装置から画像出力装置番号を受信してその画像出力装置番号を前記画像出力装置番号設定手段に設定する通信手段と」の発明特定事項を省くと共に、「複合化信号を画像信号発生装置から受信し」との記載から「画像信号発生装置から」との発明特定事項を省いたものである。
　そうすると、本願発明の発明特定事項をすべて含み、さらに他の発明特定事項を付加したものに相当する本件補正発明が、上記「２（６）判断」に記載したとおり、引用発明及び周知技術に基づいて当業者が容易に発明をすることができたものであるから、本願発明も、同様に、引用発明及び周知技術に基づいて当業者が容易に発明をすることができたものである。
　
６　むすび
　以上のとおりであるから、本件出願の請求項１に係る発明（本願発明）は特許法第２９条第２項の規定により特許を受けることができないものであり、その余の請求項２ないし７に係る発明についての判断を示すまでもなく、本件出願は、拒絶をすべきものである。
　よって、結論のとおり審決する。